(57)【要約】【課題】視聴動作を妨げることなく、受信可能なチャンネルをユーザに認識させる。【解決手段】ＣＰＵが、放送受信プログラムに従って、放送受信部が受信可能なチャンネルを判別し、受信可能なチャンネルに対応するキーボタン６を点灯制御する。これにより、ユーザは、キーボタン６の点灯状態を参照して受信可能なチャンネルを一目で認識することができるので、ユーザの視聴動作を妨げることなく、受信可能なチャンネルをユーザに簡単に認識させることができる。【選択図】  図４
2004228724.tif 000002
【特許請求の範囲】
【請求項１】
放送電波を受信する放送受信部と、
チャンネル毎に割り当てられた複数の選局ボタンと、
上記選局ボタン毎に設けられた複数の照明部と、
上記放送受信部が受信可能なチャンネルを判別し、受信可能なチャンネルに対応する選局ボタンを点灯するように上記照明部を制御する制御部と
を備えることを特徴とする携帯型受信装置。
【請求項２】
請求項１に記載の携帯型受信装置であって、
上記制御部は、チャンネル毎の受信状態を段階的に判別し、受信状態に応じて選局ボタンの照明強度を段階的に変化させるように上記照明部を制御すること
を特徴とする携帯型受信装置。
【請求項３】
請求項１に記載の携帯型受信装置であって、
上記制御部は、チャンネル毎の放送内容を判別し、放送内容に応じて選局ボタンの照明色又は点灯状態を変化させるように上記照明部を制御すること
を特徴とする携帯型受信装置。
【請求項４】
請求項１に記載の携帯型受信装置であって、
上記制御部は、チャンネル毎の放送局系列を判別し、放送局系列に応じて選局ボタンの照明色を変化させるように上記照明部を制御すること
を特徴とする携帯型受信装置。
【発明の詳細な説明】
【０００１】
【発明の属する技術分野】
本発明は、テレビジョン放送やラジオ（音声）放送等の放送電波を受信する携帯型の受信装置に関する。
【０００２】
【従来の技術】
一般に、携帯型の受信装置により受信（視聴）可能なチャンネルは、場所や時間，アンテナの状態等の種々の影響により変化する。このような背景から、最近では、受信可能なチャンネルのリストを表示することにより、受信可能なチャンネルをユーザに伝達する処理が提案されている（例えば、特許文献１を参照）。
【０００３】
【特許文献１】
特開２００２−３１５０８０号公報
【０００４】
【発明が解決しようとする課題】
しかしながら、受信可能なチャンネルのリストを表示する処理方法では、表示画面を備えない受信装置には適用することができない上に、たとえ表示画面を備える受信装置あっても、表示画面の大きさやリストの表示方法によっては視認性が劣ることがある。
【０００５】
また、受信可能なチャンネルのリストを表示する処理方法では、ユーザは表示画面を参照しながらチャンネルを選択することになるために、操作性が非常に悪い。さらに、表示画面にリストを表示した場合には、リストが表示されている間、リストが邪魔になってチャンネルの視聴動作が妨げられる。
【０００６】
本発明は、このような課題を解決するためになされたものであり、その目的は、ユーザの視聴動作を妨げることなく、受信可能なチャンネルをユーザに認識させることが可能な、携帯型受信装置を提供することにある。
【０００７】
【課題を解決するための手段】
本発明に係る携帯型受信装置の特徴は、放送電波を受信する放送受信部と、チャンネル毎に割り当てられた複数の選局ボタンと、選局ボタン毎に設けられた複数の照明部と、放送受信部が受信可能なチャンネルを判別し、受信可能なチャンネルに対応する選局ボタンを点灯するように照明部を制御する制御部とを備えることにある。
【０００８】
すなわち、本発明に係る携帯型受信装置では、制御部が、受信可能なチャンネルと受信不可能なチャンネルとを判別し、受信可能なチャンネルに対応する選局ボタンを点灯制御する。そして、このような構成によれば、ユーザは選局ボタンの点灯状態を参照して受信可能なチャンネルを一目で認識することができるので、ユーザの視聴動作を妨げることなく、受信可能なチャンネルをユーザに簡単に認識させることができる。
【０００９】
【発明の実施の形態】
本発明に係る携帯型受信装置は、図１に示すような、テレビジョン放送やラジオ（音声）放送等の放送電波を受信する機能を備えた携帯電話機に適用することができる。以下、図面を参照して、本発明の一実施形態となる携帯電話機の構成及び動作について詳しく説明する。
【００１０】
［携帯電話機の構成］
始めに、図１を参照して、本発明の一実施形態となる携帯電話機の構成について説明する。
【００１１】
本発明の一実施形態となる携帯電話機は、図１に示すような概観を有し、主な構成要素として、表示部２、操作入力部３、受話口４、及び送話口５を備える。上記表示部２は、ＬＣＤ（Ｌｉｑｕｉｄ  Ｃｒｙｓｔａｌ  Ｄｉｓｐｌａｙ）やＥＬ（ＥｌｅｃｔｒｏＬｕｍｉｎｅｓｃｅｎｃｅ）パネル等の表示装置により構成され、後述するＣＰＵ（Ｃｅｎｔｒａｌ  Ｐｒｏｃｅｓｓｉｎｇ  Ｕｎｉｔ）１５（図２参照）の制御に従って、文字や数字、記号、アイコン、カーソル、画像、動画像、テレビジョン放送等を可視表示する。
【００１２】
上記操作入力部３は、例えば「０」から「９」までの数字の入力、文字の入力、記号の入力、発信や受信の指示入力、電源のオン／オフの指示入力等の操作に使用する、複数のキーボタン６を有する。また、操作入力部３は、表示部２上に表示されたカーソルの移動操作や画面のスクロール操作等の操作に使用するダイアル（ジョグダイアル）７を有する。また、この携帯電話機１では、各キーボタン６に放送電波のチャンネルが割り当てられ、ユーザは、所望のチャンネルに対応するキーボタン６を押下することにより、放送電波の所望のチャンネルを選局、視聴できるように構成されている（いわゆるワンタッチ選局機能）。
【００１３】
上記受話口４及び送話口５はそれぞれ、後述するスピーカ１６及びマイクロフォン８（図２参照）に接続し、ユーザが通話相手先と音声通話を行う際に使用される。
【００１４】
［携帯電話機の内部構成及びその基本動作］
次に、図２を参照して、上記携帯電話機１の内部構成及びその基本動作について説明する。なお、表示部２及び操作入力部３の構成及び動作は図１に示すそれと同じであるので、以下ではその説明を省略する。
【００１５】
図２に示す携帯通信端末１において、送話口５（図１参照）に接続されているマイクロフォン８は、ユーザの通話音声等をアナログ音声信号に変換する。そして、このアナログ音声信号は、図示しない増幅器により増幅された後、ＤＳＰ（Ｄｉｇｉｔａｌ  Ｓｉｇｉｎａｌ  Ｐｒｏｃｅｓｓｏｒ）９に入力される。
【００１６】
ＤＳＰ９は、アナログ音声信号が入力されると、アナログ音声信号を所定のサンプリングレートでアナログ／デジタル（Ａ／Ｄ）変換する。そして、ＤＳＰ９は、Ａ／Ｄ変換により得られたデジタル音声データに対し、トランスポートブロック（ＴＢ）毎にＣＲＣ（Ｃｙｃｌｉｃ  Ｒｅｄｕｎｄａｎｃｙ  Ｃｈｅｃｋ）符号を付加し、チャネル符号化（誤り訂正符合化）及びインターリーブ処理を施す。なお、上記トランスポートブロックとは、物理レイヤが処理を行うデータの基本単位（ＭＡＣ（Ｍｅｄｉｕｍ  Ａｃｃｅｓｓ  Ｃｏｎｔｒｏｌ）レイヤから物理レイヤにデータが転送される単位）を示す。
【００１７】
また、ＤＳＰ９は、上記インターリーブ処理後のビット系列に対し、チャネル確定のためのパイロットビット等のオーバーヘッドを付加した後にデータ変調処理を行い、データ変調マッピングされた位相平面上の同相（Ｉｎ−Ｐｈａｓｅ）及び直交（Ｑｕａｄｒａｔｕｒｅ）成分をそれぞれ２階層の拡散符号系列で拡散する。そして、ＤＳＰ９は、拡散後のチップデータ系列を自乗余弦ルートナイキストフィルタで所定帯域（５ＭＨｚ）に帯域制限した後にデジタル／アナログ（Ｄ／Ａ）変換によりアナログ信号に変換し、アナログ信号を送信部１０に入力する。
【００１８】
送信部１０は、ＤＳＰ９からアナログ信号が入力されると、アナログ信号を直交復調し、直交復調された中間周波数信号を高周波信号（２ＧＨｚ帯のＲＦ信号）に周波数変換する。そして、送信部１０は、この高周波信号を増幅し、増幅後の高周波信号を送信信号としてデュプレクサ１１に出力する。
【００１９】
デュプレクサ１１は、アンテナ共用器である。すなわち、デュプレクサ１１は、送信信号と受信信号とで１本のアンテナ１２を共用し、アンテナ１２からの受信信号を受信部１３に送り、且つ、送信部１０からの送信信号をアンテナ１２へ送出する機能を備えたフィルタ回路により構成される。
【００２０】
受信部１３は、アンテナ１２及びデュプレクサ１１を介して供給された高周波の受信信号を増幅し、増幅した受信信号を中間周波数の信号に周波数変換する。そして、受信部１３は、自動利得制御により中間周波数の信号を線形増幅し、線形増幅した中間周波数の信号をＤＳＰ９に入力する。
【００２１】
このときＤＳＰ９は、受信部１３からの信号を直交検波（Ｑｕａｒｄｒａｔｕｒｅ  Ｄｅｔｅｃｔｉｏｎ）し、直交検波による同相及び直交成分のアナログ信号を所定のサンプリングレートでＡ／Ｄ変換する。そして、ＤＳＰ９は、Ａ／Ｄ変換によりデジタル値に変換された同相及び直交成分を、自乗余弦ルートナイキストフィルタで帯域制限した後に受信信号の拡散符号と同一の拡散符号により逆拡散することにより、伝搬遅延時間が異なる複数のマルチパス成分に時間分離する。
【００２２】
また、ＤＳＰ９は、時間分離した各パスのデータをコヒーレントレイク合成し、コヒーレントレイク合成後のデータ系列をデインターリーブ及びチャネル復号した後、２値のデータ判定を行って相手先の端末が送信してきたデータ系列を再生する。そして、ＤＳＰ９は、再生したデータ系列を音声データとその他の通信データに弁別する。
【００２３】
音声データは、ＤＳＰ９によりＤ／Ａ変換され、さらに図示しない増幅器により増幅された後、受話口４（図１参照）に内蔵されているスピーカ１４へ送られる。スピーカ１４は、増幅されたアナログ音声信号により駆動される。これにより、通話相手先の端末からの通話音声がスピーカ１４から放音されることになる。
【００２４】
また、ＤＳＰ９は、上記通信データがどのようなデータであるのかを解析し、その解析結果に応じた処理を行う。例えば上記通信データがテキストデータである場合、ＤＳＰ９はテキストデータをＣＰＵ１５に送り、ＣＰＵ１５は表示部２上にテキストデータを表示制御する。また、例えば通信データが圧縮された画像データである場合、ＤＳＰ９は圧縮画像データを伸張した後にＣＰＵ１５に送り、ＣＰＵ１５は表示部２上に画像データを表示制御する。また、例えば通信データが圧縮された音声データである場合、ＤＳＰ９は、圧縮音声データを伸張し、スピーカ１６又はスピーカ１４に音声を出力する。
【００２５】
記録部１７は、フラッシュメモリ等の記憶保持動作が不要な書き換え可能なメモリにより構成される。この記録部１７は、電話帳機能等の種々の機能を実現するアプリケーションプログラム、及び個人名、電話番号等のアプリケーションプログラムが実現する機能に対応したデータを含むアプリケーションデータを格納する。また、記録部１７は、携帯通信端末の各種設定データの中でユーザが任意に設定可能な値を含む設定データを格納する。さらに、記録部１７は、送受信した電子メール等のデータ、画像データ、音声データ等、必要に応じて様々なデータを記録することができるように構成されている。
【００２６】
ＲＯＭ（Ｒｅａｄ  Ｏｎｌｙ  Ｍｅｍｏｒｙ）１８は、後述する受信状態表示処理を実現する放送受信プログラム１９等の各種コンピュータプログラムと、各種の初期設定データ、フォントデータ等を記憶している。なお、このＲＯＭ１８は、ＥＥＰＲＯＭ（Ｅｌｅｃｔｒｉｃａｌｌｙ  Ｅｒａｓａｂｌｅ  ａｎｄ  Ｐｒｏｇｒａｍｍａｂｌｅ  Ｒｅａｄ  Ｏｎｌｙ  Ｍｅｍｏｒｙ）のような書き換え可能なＲＯＭであってもよい。
【００２７】
ＲＡＭ（Ｒａｎｄｏｍ  Ａｃｃｅｓｓ  Ｍｅｍｏｒｙ）２０は、ＣＰＵ１５が各種処理を行う際のワーキングエリアとして機能し、随時データを格納する。ＣＰＵ１５は、記録部１７及びＲＯＭ１８に格納されているコンピュータプログラムに従って、各部の動作を制御すると共に、各種の演算処理を行う。
【００２８】
照明部２１は、例えばＬＥＤ（Ｌｉｇｈｔ  Ｅｍｉｓｓｉｏｎ  Ｄｉｏｄｅ）等の複数の発光素子により構成され、ＣＰＵ１５の制御に従って、表示部２や操作入力部３を点灯する。なお、この携帯電話機１では、キーボタン６毎に発光素子が割り当てられ、キーボタン６毎に点灯することが可能なように構成されている。また、この照明部２１は、ＣＰＵ１５からの制御に従って、各発光素子の点灯色、点灯状態（例えば、点滅等）、点灯強度（照度）を変更することが可能なように構成されている。
【００２９】
カメラ部２２は、ＣＭＯＳ（Ｃｏｍｐｌｅｍｅｎｔａｒｙ  Ｍｅｔａｌ  Ｏｘｉｄｅ  Ｓｅｍｉｃｏｎｄｕｃｔｏｒ）イメージセンサやＣＣＤ（Ｃｈａｒｇｅ  Ｃｏｕｐｌｅｄ  Ｄｅｖｉｃｅ）イメージセンサ等の撮像部と、この撮像部上に被写体等の光像を結像させる光学系とを備える。カメラ部２２を利用した被写体の撮影の指示は、操作入力部３上の所定のキーをレリーズボタンとして使用することで実現することができる。また、カメラ部２２により撮影された画像データはＤＳＰ９に入力される。カメラ部２２から画像データを受け取ったＤＳＰ９は、その画像データをＣＰＵ１５に送り、ＣＰＵ１５は画像データに基づく画像を表示部２上に表示制御する。また、ＤＳＰ９は、必要に応じて画像データを圧縮し、圧縮後の画像データを送信データとして送信部１０に送ることもできる。また、圧縮後の画像データは、ＣＰＵ１５を解して記録部１７に記録することもできる。
【００３０】
放送受信部２３は、アンテナ２４を介してテレビジョン放送やラジオ放送等の放送電波を受信し、ＣＰＵ１５の制御に従って、ユーザが指定したチャンネルの画像や音声を表示部２やスピーカ１６から出力する。より具体的には、この実施形態では、アンテナ２４には、図示しないテレビジョン放送用チューナーとラジオ放送用チューナーとが接続され、携帯電話機１がテレビジョン放送とラジオ放送の両方を受信できるように構成されている。
【００３１】
位置検出部２５は、ＣＰＵ１５の制御に従って、通信電波若しくはＧＰＳ（Ｇｌｏｂａｌ  Ｐｏｓｉｔｉｏｎｉｎｇ  Ｓｙｓｔｅｍ）電波の少なくとも一方を利用して携帯電話機１が所在する位置の例えば経度（ｘ）、緯度（ｙ）、高さ（ｚ）等に関する情報（以下、位置情報と表記する）を取得する。なお、位置検出部２５が通信電波を利用して位置検出を行うものである場合には、位置検出部２５は最寄の通信基地局と通信を行って携帯電話機１の位置情報を取得する。また、位置検出部２５がＧＰＳ電波を利用して位置検出を行う場合、位置検出部２５内にＧＰＳ電波受信機能を設けるようにする。このＧＰＳ受信機能は、主として、ＧＰＳ電波を受信するＧＰＳ電波受信アンテナ、受信したＧＰＳ電波を復調するＧＰＳ無線部、及び復調されたＧＰＳ電波から現在地の緯度経度情報を演算により求め、出力するＧＰＳ制御部とにより構成される。このＧＰＳ電波受信機能は、ＧＰＳ衛星が送信している高精度の時間信号が含まれたＧＰＳ電波を、現在信号を受信可能な周回軌道上に存在する少なくとも３台のＧＰＳ衛星から受信し、各ＧＰＳ衛星からのＧＰＳ電波の到達時間からＧＰＳ衛星までの距離を各々演算し、各距離が一致する点を自身の現在位置とするものである。なお、この実施形態では、位置検出部２５が位置情報を検出することとするが、ユーザが設定、記録した情報を位置情報として利用してもよい。
【００３２】
［受信状態表示処理］
上記携帯電話機１は、ユーザが操作入力部３を操作してチャンネルの視聴要求を入力するのに応じて、以下に示すように動作して受信可能なチャンネルをユーザに通知する。以下、図３に示すフローチャートを参照して、受信可能なチャンネルをユーザに通知する処理（以下、この処理を受信状態表示処理と表現する）を実行する際の携帯電話機１内部の動作について詳しく説明する。
【００３３】
図３に示すフローチャートは、ＣＰＵ１５が、ユーザからチャンネルの視聴要求が入力されるのに応じて、ＲＯＭ１８からＲＡＭ２０内にロードした放送受信プログラム１９を実行することで開始となり、受信状態表示処理はステップＳ１の処理に進む。
【００３４】
ステップＳ１の処理では、ＣＰＵ１５が、放送受信部２３を制御して、所定の周波数帯域から受信可能なチャンネルをサーチし、受信可能なチャンネルと受信不可能なチャンネルとを判別する。これにより、このステップＳ１の処理は完了し、この受信状態表示処理はステップＳ１の処理からステップＳ２の処理に進む。
【００３５】
ここで、ＣＰＵ１５は、上記サーチ処理をユーザからの視聴要求の度に実行するのではなく、例えば、位置検出部２５により検出される位置情報を参照し、携帯電話機１の位置が変化するのに応じて実行してもよい。具体的には、位置情報を参照して携帯電話機１が移動していないと判断した場合、ＣＰＵ１５は、一度若しくは比較的長い時間周期でサーチ処理を実行する。一方、位置情報を参照して携帯電話機１が移動したと判断した場合には、ＣＰＵ１５は、移動速度に応じて頻繁にサーチ処理を実行する。
【００３６】
なお、上記ステップＳ１の処理において、ＣＰＵ１５は、サービスされている全てのチャンネルについてサーチ処理を実行してもよいが、ユーザが設定したチャンネルのみについて実行するようにしてもよい。また、ＣＰＵ１５は、位置情報を参照して現在の位置で受信可能なチャンネルを予測したり、受信可能と判断されたチャンネルに基づいてサーチするチャンネルを限定したりしてもよい。さらに、ＣＰＵ１５は、サーチ処理を実行せず、位置情報に基づいて現在の位置でサービスされているチャンネルを受信可能なチャンネルと判断してもよい。ここで、地域毎のチャンネルに関するデータ（放送局データ）は、記録部１７やＲＯＭ１８内に予め記憶しておいてもよいし、アンテナ２４を介して放送受信部２３が放送局等から受信してもよい。また、アンテナ１２を介して受信部１３が通信データとして受信してもよい。
【００３７】
ステップＳ２の処理では、ＣＰＵ１５が、ステップＳ１の処理の結果に基づいて、照明部２１を制御して、図４に示すように受信可能なチャンネルに対応するキーボタン６を点灯制御する。なお、この図４に示す例では、「３」，「４」，「６」，「０」のキーボタン６が点灯し、例えば「３チャンネル」，「４チャンネル」，「６チャンネル」，「１０チャンネル以上のチャンネル」が受信可能であることを視覚的にユーザに通知する。これにより、このステップＳ２の処理は完了し、一連の受信状態表示処理は終了する。以後、ユーザは、キーボタン６の点灯の有無を参照して、所望のキーボタン６を押下することにより、表示部２やスピーカ１６を介して所望のチャンネルを視聴することができる。
【００３８】
なお、上記ステップＳ２の処理において、ＣＰＵ１５は、受信可能なチャンネルに対応するキーボタン６を点灯制御するが、図５（ａ）に示すように、映像と音声の両方を受信可能な状態、映像又は音声の一方を受信可能な状態、映像と音声の両方が受信不可能な状態といった具合に、チャンネルの受信状態を段階的に分け、キーボタン６の照明の強度、色、点灯状態（例えば点滅等）を段階毎に変化させるように照明部２１を制御してもよい。また同様に、ＣＰＵ１５は、受信状態が変化した時にキーボタン６を点滅させるように照明部２１を制御してもよい。このような構成によれば、携帯電話機１は、受信可能なチャンネルに関する情報と共に、チャンネルの受信状態についてもユーザに伝達することができる。
【００３９】
さらに、ＣＰＵ１５は、図５（ｂ）に示すように、ジャンル等の放送内容の違いに応じてキーボタン６の色、点灯状態を変更するように照明部２１を制御してもよい。また、ＣＰＵ１５は、ユーザがよく視聴する番組、視聴予約した番組、緊急放送が流れている番組を放映するチャンネルをに対応するキーボタン６を点滅制御してもよい。なお、この場合、ＣＰＵ１５は、ＥＰＧ（Ｅｌｅｃｔｒｏｎｉｃ  Ｐｒｏｇｒａｍ  Ｇｕｉｄｅ）等の番組情報を参照することにより放送内容を判別するとよい。このような構成によれば、携帯電話機１は、受信可能なチャンネルに関する情報と共に、チャンネルの放送内容についてもユーザに伝達することができる。
【００４０】
また同様に、ＣＰＵ１５は、放送局や放送系列の違いに応じてキーボタン６の色を変更するように照明部２１を制御してもよい。このような構成によれば、携帯電話機１がある位置（地域）が変化することにより、キーボタン６に割り当てられる放送局や系列が変わってしまった場合であっても、ユーザは、キーボタン６の色を参照して、いつもと同じ感覚でチャンネル選局を行うことができる。
【００４１】
［実施形態の効果］
以上の説明から明らかように、本発明の一実施形態となる携帯電話機１によれば、ＣＰＵ１５が、受信可能なチャンネルと受信不可能なチャンネルとを判別し、受信可能なチャンネルに対応するキーボタン６を点灯表示するので、ユーザは、視聴動作を妨げられることなく、キーボタン６の点灯状態を参照して受信可能なチャンネルを一目で認識することができる。
【００４２】
また、本発明の一実施形態となる携帯電話機１によれば、ＣＰＵ１５が、チャンネルの受信状態や放送内容の変化に応じて、キーボタン６の照明の強度、色、点灯状態を変化させるように照明部２１を制御するので、ユーザは、キーボタン６の照明の強度、色、点灯状態の違いを参照して、チャンネルの受信状態や放送内容を判断することができる。
【００４３】
さらに、本発明の一実施形態となる携帯電話機によれば、ユーザは、キーボタン６の点灯状態を参照して所望のチャンネルに対応するキーボタン６を押下することにより、所望のチャンネルを選局、視聴することができるので、受信可能なリストを参照して選局する従来までの方法と比較して非常に操作性がよい。
【００４４】
［その他の実施形態］
以上、本発明者によってなされた発明を適用した実施の形態の構成及び動作について説明したが、この実施の形態による本発明の開示の一部をなす論述及び図面により本発明は限定されることはない。例えば、本発明は、例えば図６（ａ），（ｂ）に示すような、テレビジョン装置の遠隔制御装置（いわゆるリモコン）やラジオ装置にも適用することができる。すなわち、上記実施の形態に基づいて当業者等によりなされる他の実施の形態、実施例及び運用技術等は全て本発明の範疇に含まれることを付け加えておく。
【００４５】
【発明の効果】
本発明によれば、ユーザの視聴動作を妨げることなく、受信可能なチャンネルをユーザに簡単に認識させることができる。
【図面の簡単な説明】
【図１】本発明の一実施形態となる携帯電話機の全体構成を示す模式図である。
【図２】図１に示す携帯電話機の内部構成を示すブロック図である。
【図３】本発明の一実施形態となるチャンネル通知処理を示すフローチャート図である。
【図４】図１に示す携帯電話機が受信可能なチャンネルを通知している状態を示す模式図である。
【図５】（ａ）受信状態によってキーボタンの照明強度が変化する様子、及び（ｂ）放送内容によってキーボタンの色が照明色が変化する様子を示す模式図である。
【図６】本発明に係る携帯型受信装置の他の構成を示す模式図である。
【符号の説明】
１…携帯電話機、２…表示部、３…操作入力部、４…受話口、５…送話口、６…キーボタン、７…ダイアル（ジョグダイアル）、１５…ＣＰＵ、１８…ＲＯＭ、１９…放送受信プログラム、２３…放送受信部、２４…アンテナ、２５…位置検出部
【図１】
2004228724.tif 000003
【図２】
2004228724.tif 000004
【図３】
2004228724.tif 000005
【図４】
2004228724.tif 000006
【図５】
2004228724.tif 000007
【図６】
2004228724.tif 000008